(57)【特許請求の範囲】
【請求項１】
直線状に延在する搬送路を設け、
多数の冊子の背を下向きにし前記背を前記搬送路の幅方向に合わせて前記搬送路上に載せ、各冊子の天と地と小口を揃え隣接する冊子の表表紙と裏表紙を密着させて前記搬送路上に並べ、
前記搬送路を搬送させつつ前記搬送路に載せられた多数の冊子の背の延在方向の両端から背の延在方向の延長方向に空気を噴出させつつ、染料をそれら冊子の天と地と小口とに吹き付けて冊子の天と地と小口を着色するようにした、
ことを特徴とする冊子の着色方法。
【請求項２】
前記搬送路の延在方向の中間部に該搬送路が通過するハウジングを設け、前記染料の吹き付けは前記ハウジング内で行なうことを特徴とする請求項１記載の冊子の着色方法。
【請求項３】
前記搬送路の幅を前記冊子の背よりも小さい寸法で形成し、多数の冊子を前記搬送路に並べる際に、背の延在方向の両端を前記搬送路の幅方向の両端から外方に突出させることを特徴とする請求項１記載の冊子の着色方法。
【請求項４】
冊子の天と地と小口を着色する着色装置であって、
前記冊子の背の延在長さよりも小さい寸法の幅を有し、直線状に延在し多数の前記冊子の背が下向きにして載せられ各冊子の天と地と小口が揃えられ隣接する冊子の表表紙と裏表紙が密着されて並べられる搬送路と、
前記搬送路を搬送させる駆動手段と、
前記搬送路の延在方向の中間に設けられ該搬送路およびこの搬送路に並べられた多数の冊子が通過するハウジングと、
前記ハウジング内に設けられ、前記搬送路上に並べられた多数の冊子の天と地と小口とに染料を吹き付けるノズルと、
前記ハウジング内で搬送路の幅方向両端からそれぞれ突出する冊子の背の下方で前記搬送路に沿って延在する空気路と、
前記空気路に連通し、前記搬送路上に並べられた多数の冊子の背の延在方向の両端に臨む箇所で前記搬送路の延在方向に沿って延在し、前記空気路の空気が前記多数の冊子の背の延在方向の両端からそれら背の延在方向の延長方向に吹き出される空気吹き出し口と、
前記空気路に空気を供給する空気供給手段と、
を備えることを特徴とする冊子の着色装置。
【請求項５】
前記搬送路の幅は前記冊子の背よりも小さい寸法で形成され、多数の冊子が前記搬送路上に並べられる際に、背の延在方向の両端が前記搬送路の幅方向の両端から外方に突出され、前記空気吹き出し口の上部は、前記冊子の背の延在方向の端部で仕切られていることを特徴とする請求項４記載の冊子の着色装置。
【請求項６】
前記搬送路は、直線状に延在する上搬送路と、前記上搬送路の下方に前記上搬送路に沿って延在する戻り搬送路と、前記上搬送路の両端と前記戻り搬送路の両端とを接続する接続用搬送路とで無端状に形成され、
前記多数の冊子は前記上搬送路に並べられ、
前記駆動手段は、無端環状に連結されたチェーンと、前記チェーンに噛合する駆動歯車および従動歯車と、前記駆動歯車を回転駆動するモータとを含んで構成され、
前記搬送路は、前記チェーンに連結された多数のスラットで構成されていることを特徴とする請求項４記載の冊子の着色装置。
【請求項７】
前記上搬送路に位置するスラットの下方で前記上搬送路に沿って延在しスラットの下面に接触してスラット上面を水平に保つガイドが設けられていることを特徴とする請求項６記載の冊子の着色装置。
【請求項８】
前記空気路の左右側部と下部は、前記ハウジング内において前記搬送路の下方に沿って延在する可撓可能なシートで仕切られ、前記空気路の上部は、前記搬送路とこの搬送路上に並べられた多数の冊子の背とで仕切られていることを特徴とする請求項４記載の冊子の着色装置。
【請求項９】
前記シートの幅方向両端にそれぞれ上下に延在する吹き出し口形成用板が取着され、前記空気吹き出し口は、前記搬送路上に並べられた多数の冊子の背が前記搬送路の幅方向両端からそれぞれ突出する背の延在方向の端部と、前記吹き出し口形成用板の上端と、前記背の延在方向の端部と前記吹き出し口形成用板の上端との間の隙間により形成されていることを特徴とする請求項８記載の冊子の着色装置。
【請求項１０】
前記シートの幅方向の両端の各吹き出し口形成用板を、前記搬送路の幅方向に移動可能に支持する調整機構が設けられていることを特徴とする請求項９記載の冊子の着色装置。
【発明の詳細な説明】
【技術分野】
【０００１】
本発明は冊子の天と地と小口を着色する方法および装置に関する。
【背景技術】
【０００２】
多数の冊子の天と地と小口を着色する場合、それら冊子を並べ、染料をそれら冊子の天と地と小口に吹き付けることが考えられる。
しかしながら、染料を冊子の天と地と小口に単に吹き付けた場合、染料の粒子が背にもまわり込み、背を着色してしまう不具合が生じる。
【発明の開示】
【発明が解決しようとする課題】
【０００３】
本発明は前記事情に鑑み案出されたものであって、本発明の目的は、背を着色することなく天と地と小口のみを効率良く着色できる冊子の天と地と小口を着色する方法および装置を提供することにある。
【課題を解決するための手段】
【０００４】
前記目的を達成するため本発明は、冊子の着色方法であって、直線状に延在する搬送路を設け、多数の冊子の背を下向きにし前記背を前記搬送路の幅方向に合わせて前記搬送路上に載せ、各冊子の天と地と小口を揃え隣接する冊子の表表紙と裏表紙を密着させて前記搬送路上に並べ、前記搬送路を搬送させつつ前記搬送路に載せられた多数の冊子の背の延在方向の両端から背の延在方向の延長方向に空気を噴出させつつ、染料をそれら冊子の天と地と小口とに吹き付けて冊子の天と地と小口を着色するようにしたことを特徴とする。
また、本発明は、冊子の天と地と小口を着色する着色装置であって、前記冊子の背の延在長さよりも小さい寸法の幅を有し、直線状に延在し多数の前記冊子の背が下向きにして載せられ各冊子の天と地と小口が揃えられ隣接する冊子の表表紙と裏表紙が密着されて並べられる搬送路と、前記搬送路を搬送させる駆動手段と、前記搬送路の延在方向の中間に設けられ該搬送路およびこの搬送路に並べられた多数の冊子が通過するハウジングと、前記ハウジング内に設けられ、前記搬送路上に並べられた多数の冊子の天と地と小口とに染料を吹き付けるノズルと、前記ハウジング内で搬送路の幅方向両端からそれぞれ突出する冊子の背の下方で前記搬送路に沿って延在する空気路と、前記空気路に連通し、前記搬送路上に並べられた多数の冊子の背の延在方向の両端に臨む箇所で前記搬送路の延在方向に沿って延在し、前記空気路の空気が前記多数の冊子の背の延在方向の両端からそれら背の延在方向の延長方向に吹き出される空気吹き出し口と、前記空気路に空気を供給する空気供給手段とを備えることを特徴とする。
【発明の効果】
【０００５】
本発明では、空気が吹き出し口から、冊子の背の延在方向の両端から背の延在方向の延長方向に噴出されているので、冊子の天と地と小口に向けて染料が吹き付けられて天と地と小口が確実に着色され、かつ、天と地と小口に吹き付けられた染料が背に付着することが阻止される。
【発明を実施するための最良の形態】
【０００６】
以下、本発明の着色方法を装置と共に図面に従って説明する。
図１は本発明の着色装置の正面図、図２は図１のＡＡ線断面図、図３は図１のＢＢ線断面図、図４は図１のＣＣ線断面図、図５は空気吹き出し口部分の拡大断面図を示す。
着色装置２は、多数の冊子Ｂを搬送するための搬送路４と、着色用のハウジング１４と、ハウジング１４内に設けられた吹き付けノズル１６と、搬送路１２の下方に設けられた空気路１８と、空気路に設けられた吹き出し口２０と、空気路１８に空気を供給する空気供給手段２２などを備えている。
【０００７】
搬送路４は無端状であり、直線状に延在する上搬送路６と、上搬送路６の下方に上搬送路６に沿って延在する戻り搬送路８と、上搬送路６の両端と戻り搬送路８の両端とを接続する接続用搬送路１０とで構成されている。
搬送路４は駆動手段２４により搬送され、駆動手段２４は、図１、図５に示すように、無端環状に連結されたチェーン２４０２と、チェーン２４０２に噛合する駆動歯車２４０４および従動歯車２４０６と、駆動歯車２４０４を回転駆動するモータ２４０８とを含んで構成されている。
そして、本実施の形態では、搬送路４は、チェーン２４０２に連結された多数のスラット２４１０で構成され、スラット２４１０の長さ（搬送路４の幅）は、着色すべく冊子Ｂの背Ｓの延在長さよりも小さい寸法で形成されている。
また、本実施の形態では、上搬送路６に位置するスラット２４１０の下方で上搬送路６に沿って延在しスラット２４１０の下面に接触してスラット２４１０の上面を水平に保つガイド２６が設けられている。
ガイド２６は、断面がＨ型で直線状に延在するベース２６０２と、ベース２６０２の上面に設けられた摩擦係数の小さい材料（例えば、テフロン（登録商標）など）からなる左右一対のレール２６０４とを有し、スラット２４１０の下面がレール２６０４上を走行する。
なお、図１、図５において符号２４２０は、戻り搬送路８を構成するスラット２４１０の垂れ下がり防止用のガイドを示す。
【０００８】
ハウジング１４は、上搬送路６の延在方向の中間部に設けられ、ハウジング１４は、入口部１４０２と、本体部１４０４と、出口部１４０６とが冊子Ｂの搬送方向に並べて設けられている。
上搬送路６は、直線状に延在しその中間部がハウジング１４の入口部１４０２と、本体部１４０４と、出口部１４０６とを通過しており、入口部１４０２よりも搬送方向の上流側に直線状に延在する搬送路１２部分は、多数の冊子Ｂを載置するための載置ステーション１２０２とされ、出口部１４０６よりも搬送方向の下流側に直線状に延在する搬送路１２部分は、着色された多数の冊子Ｂを取り出す取り出しステーション１２０４とされている。
載置ステーション１２０２において、多数の冊子Ｂはそれらの背Ｓが下向きにされかつ背Ｓの延在方向を上搬送路６の幅方向に合わせて上搬送路６上に載せられ、各冊子Ｂの天Ｔと地Ｃと小口Ｋが揃えられ隣接する冊子Ｂの表表紙と裏表紙が密着されて上搬送路６上に並べられる。
多数の冊子Ｂは上搬送路６上に並べられる際に、背Ｓの延在方向の両端が上搬送路６の幅方向の両端からそれぞれ均等量外方に突出されるように載置される。
【０００９】
本体部１４０４は六角形の断面で形成され、入口部１４０２と出口部１４０６は本体部１４０４よりも小さい断面積の五角形の断面形成されている。
入口部１４０２と出口部１４０６には、それら入口部１４０２と出口部１４０６からハウジング１４外へ染料が流出しないように、それぞれ排気ダクト２４が接続され、ポンプＰ１により入口部１４０２と出口部１４０６内の空気を吸引し、例えば、フィルターなどを通過させ清浄な空気にしたのち大気に放出するようにしている。
なお、図２において符号１４１２は、入口部１４０２の前面に形成された冊子Ｂよりも大きな輪郭の矩形状の入口を示し、図４において符号１４１４は、出口部１４０６の後面に形成された冊子Ｂよりも大きな輪郭の矩形状の出口を示す。
【００１０】
本体部１４０４の内部には、上搬送路６により搬送される多数の冊子Ｂの天Ｔと地Ｃと小口Ｋに向けて染料を吹き付けるノズル１６が配設されている。
本実施の形態では、冊子Ｂの天Ｔと地Ｃに向けて染料を吹き付けるノズル１６Ａが本体部１４０４の両側面に配設され、冊子Ｂの小口Ｋに向けて染料を吹き付けるノズル１６Ｂが上搬送路６の上方に配設されている。なお、吹き付ける染料はハウジング１４と離れた箇所で容器に収容され、その容器とノズル１６Ａ、１６Ｂとは、チューブ、ポンプ、圧力調整弁などを介して接続され、所望の吹き付け強さで染料がノズル１６Ａ、１６Ｂから噴出されるように構成されている。
また、本体部１４０４の下部には排気ダクトを介してポンプＰ２が接続され、冊子Ｂの天Ｔと地Ｃと小口Ｋに付着されなかった染料を含む空気を吸引し、例えば、フィルターなどを通過させ清浄な空気にしたのち大気に放出するようにしている。
【００１１】
空気路１８は、ハウジング１４内で上搬送路６の下方に沿って設けられている。
空気路１８の上部は、上搬送路６に位置する多数のスラット２４１０と、上搬送路６上に並べられ上搬送路６の幅方向両端から突出する多数の冊子Ｂの背Ｓとで仕切られている。
空気路１８の左右側部と下部は可撓可能な透明な合成樹脂製のシート３０（本実施の形態ではビニールシート）で仕切られている。本実施の形態では、シート３０の内側に戻り搬送路８とガイド２４１０が位置している。
そして、空気路１８の左右側部を仕切るシート３０の両端に、それぞれ上方に起立し上搬送路６の延在方向に沿って延在する吹き出し口形成用板３２が取着されている。
吹き出し口形成用板３２の上端３２０２は、上搬送路６上に並べられ上搬送路６の幅方向両端から突出する多数の冊子Ｂの背Ｓよりも僅かに下方に離れた高さとなるように設けられている。
また、吹き出し口形成用板３２の上端３２０２は、左右方向において（上搬送路６の幅方向において）、上搬送路６上に並べられ上搬送路６の幅方向両端から突出する多数の冊子Ｂの背Ｓの延在方向の端部と同じ位置か、あるいは、背Ｓの延在方向の端部よりも背の延在方向の中央寄りに僅かに偏位した位置となっている。
このように吹き出し口形成用板３２の上端３２０２を配置することで、冊子Ｂの背の延在方向の両端から背Ｓの延在方向の延長方向に沿って空気を噴出させる上で有利となる。
【００１２】
本実施の形態では、ガイド２６の左右の側面で前後に間隔をおいた複数個所にそれぞれ回転可能に雄ねじ部材４１０が突設され、また、雄ねじ部材４１０の上方からガイドロッド４１２が突設されており、それら雄ねじ部材４１０が吹き出し口形成用板３２の雌ねじに螺合され、また、それらガイドロッド４１２が吹き出し口形成用板３２の孔に挿通され、雄ねじ部材４１０を回転することで吹き出し口形成用板３２がガイドロッド４１２に沿って左右方向に移動し、吹き出し口形成用板３２の左右位置が調整されるように構成されている。したがって、本実施の形態では、雄ねじ部材４１０とガイドロッド４１２により、吹き出し口形成用板３２を上搬送路６の幅方向に移動可能に支持する調整機構が構成されている。
【００１３】
吹き出し口２０は、左右の吹き出し口形成用板３２の上端３２０２と、上搬送路６上に並べられ上搬送路６の幅方向両端から突出する多数の冊子Ｂの背Ｓと、背Ｓの延在方向の端部と吹き出し口形成用板３２の上端３２０２との間の隙間により形成されている。
この吹き出し口２０は、冊子Ｂの搬送方向に沿って延在形成されている。
そして、冊子Ｂの背Ｓの延在方向の両端から背Ｓの延在方向の延長方向に沿って空気が吹き出されるように、左右方向において、多数の冊子Ｂの背Ｓの延在方向の両端と左右の吹き出し口形成用板３２の上端３２０２とが同一の位置に位置し、あるいは、多数の冊子Ｂの背Ｓの延在方向の両端よりも左右の吹き出し口形成用板３２の上端３２０２が背Ｓの延在方向の内側に位置している。
空気供給手段２２は、空気路１８に接続する管路、この管路に連結されたコンプレッサＰ３などを含んで構成され、空気路１８に圧縮空気を供給することで、空気吹き出し口２０から空気が吹き出される。
【００１４】
次に、作用、効果について説明する。
まず、搬送路４を停止しておき、載置ステーション１２０２における上搬送路６の前端に、例えば、製品とならない冊子を積み重ね、それら冊子により当て付け部を形成する。
次に、着色すべき多数の冊子Ｂの背Ｓを下向きにして上搬送路６上に載せ、多数の冊子Ｂのうち前端に位置する冊子Ｂの表紙を当て付け部に当て付けて、各冊子Ｂの天Ｔと地Ｃと小口Ｋを揃え隣接する冊子の表表紙と裏表紙を密着させて上搬送路６上に並べていく。
その際、多数の冊子Ｂの背Ｓの延在方向の両端が上搬送路６の幅方向の両端からそれぞれ均等量外方に突出されるように並べていく。
【００１５】
次に、ポンプを駆動してノズル１６Ａ、１６Ｂから染料を噴射させ、ポンプＰ１、Ｐ２を駆動し入口部１４０２、出口部１４０６、本体部１４０４の下部においてハウジング１４内の空気を、冊子Ｂの着色に寄与しなかった染料と共に吸引し、コンプレッサＰ３などからなる空気供給手段２２を駆動して空気路１８に空気を供給し、空気吹き出し口２０から空気を噴出させ、駆動手段２４により搬送路４を搬送させる。
搬送路４の搬送により、上搬送路６上に並べられた多数の冊子Ｂは当て付け部と共に、入口部１４０２から本体１４０４内へと搬送され、以後、作業者は、載置ステーション１２０２において、既に並べられた冊子Ｂの表紙に、新たな冊子Ｂの表紙を密着させつつ天Ｔと地Ｃと小口Ｋを揃え上搬送路６上に並べていく。なお、当て付け部は、冊子Ｂを上搬送路６に最初に並べる際にのみ用いられ、以後は、既に並べられた冊子Ｂの表紙に、新たな冊子Ｂの表紙を密着させつつ上搬送路６上に並べていく。
【００１６】
上搬送路６の搬送により多数の冊子Ｂが本体１４０４内に至ると、ノズル１６Ａから冊子Ｂの天Ｔと地Ｃに向けて染料が吹き付けられ、ノズル１６Ｂから冊子Ｂの小口Ｋに向けて染料が吹き付けられ、冊子Ｂの天Ｔと地Ｃと小口Ｋが着色される。
この場合、空気吹き出し口２０から空気が、背Ｓの延在方向の両端から背Ｓの延在方向の延長方向に噴出されているので、ノズル１６Ａ、１６Ｂから吹き付けられる染料が背Ｓに侵入することはなく、冊子の天Ｔと地Ｃと小口Ｋのみが着色される。
天Ｔと地Ｃと小口Ｋが着色された冊子Ｂは、出口部１４０６において、入口部１４０２に配置される作業員とは別の作業員により上搬送路６から取り出され、冊子Ｂの着色が終了する。
【００１７】
本実施の形態によれば、空気が吹き出し口２０から、冊子Ｂの背Ｓの延在方向の両端から背Ｓの延在方向の延長方向に噴出されているので、ノズル１６Ａ、１６Ｂから冊子Ｂの天Ｔと地Ｃと小口Ｋに向けて染料が吹き付けられて天Ｔと地Ｃと小口Ｋが確実に着色され、かつ、天Ｔと地Ｃと小口Ｋに吹き付けられた染料が背Ｓに付着することが阻止される。
したがって、冊子Ｂの背Ｓを汚すことなく天Ｔと地Ｃと小口Ｋのみを確実に着色することが可能となる。
【００１８】
なお、実施の形態では、搬送路にスラットチェーンを用いた場合について説明したが、搬送路は、多数の冊子Ｂがそれらの背Ｓを下向きにしそれらの天Ｔと地Ｃと小口Ｋを揃えて載せられその状態で搬送できるものであればよく、例えば、チェーンに種々のアタッチメントを取り付けた種々のチェーンコンベアや、ベルトコンベアなど従来公知の様々な形式の搬送手段が採用可能である。
また、本実施の形態では単一の搬送路を用いた場合について説明したが、例えば、多数の冊子Ｂを載置するための載置ステーション１２０２を第１の搬送路で構成し、着色された多数の冊子Ｂを取り出す取り出しステーション１２０４を第２の搬送路で構成し、それら搬送路の間を第３の搬送路で構成し、それら第１、第２、第３の搬送路の間を適宜受け渡し手段で接続するなど任意であり、搬送路は単一の場合に限定されない。
また、スラットの厚さが小さい場合や、あるいは、ベルトコンベアを用いた場合にそのベルトの厚さが小さい場合には、上搬送路６の幅が背Ｓの延在長さと同一の寸法かあるいは上搬送路６の幅が背Ｓの延在長さよりもわずかに大きく、左右方向において、上搬送路６上に並べられた多数の冊子Ｂの背Ｓの延在方向の両端が上搬送路６の幅方向の両端と同じ位置に位置し、あるいは、冊子Ｂの背Ｓの延在方向の両端が上搬送路６の幅方向の両端よりもわずかに内側に位置していても、冊子Ｂの背の延在方向の両端から背Ｓの延在方向の延長方向に噴出される空気の流れにより、冊子Ｂの背Ｓを汚すことなく天Ｔと地Ｃと小口Ｋのみを着色することが可能となる。
【図面の簡単な説明】
【００１９】
【図１】本発明の着色装置の正面図である。
【図２】図１のＡＡ線断面図である。
【図３】図１のＢＢ線断面図である。
【図４】図１のＣＣ線断面図である。
【図５】空気吹き出し口部分の拡大断面図である。
【符号の説明】
【００２０】
２……着色装置、４……搬送路、６……上搬送路、８……戻り搬送路、１４……ハウジング、１６……ノズル、１８……空気路、２０……吹き出し口、２２……空気供給手段。
【図１】
0004732878.tif 000002
【図２】
0004732878.tif 000003
【図３】
0004732878.tif 000004
【図４】
0004732878.tif 000005
【図５】
0004732878.tif 000006